(57)【要約】  【課題】  第１の記録媒体に記録されている動画像データの一部にコピー禁止を含む場合、その動画像データを使用者の期待に沿う程度十分に第２の記録媒体にダビングできる動画像処理装置を提供する。  【解決手段】  第１の記録媒体としてのＤＶＤ１６からＶＯＢを先頭のＶＯＢＵ＃１より順にデジタル信号として読み出す。読み出されたＶＯＢＵ＃１〜＃９がコピーの禁止されたものであるか否かを順に検出する。コピーの禁止が検出されたＶＯＢＵ＃５、＃６は飛ばして、コピーの禁止が検出されないＶＯＢＵ＃１〜＃４、＃７〜＃９をデジタル信号のまま順に送出する。送出されたＶＯＢＵ＃１〜＃４、＃７〜＃９を第２の記録媒体としてのハードディスク１３に順に記録する。【選択図】      図２
2006339719.tif 000002
【特許請求の範囲】
【請求項１】
複数の動画像オブジェクト単位データが順に連なって成り、コピーの許された動画像オ
ブジェクト単位データがコピーの禁止された動画像オブジェクト単位データの後ろに連な
った部分を少なくとも有する動画像オブジェクトデータがＤＶＤに記録されており、この
ＤＶＤから動画像オブジェクトデータをハードディスクにダビングする動画像処理装置に
おいて、
ＤＶＤから動画像オブジェクトデータを先頭の動画像オブジェクト単位データより順に
デジタル信号として読み出す読出手段と、
読み出された動画像オブジェクト単位データがコピーの禁止されたものであるか否かを
順に検出する検出手段と、
コピーの禁止が検出された動画像オブジェクト単位データは飛ばして、コピーの禁止が
検出されない動画像オブジェクト単位データをデジタル信号のまま順に送出する送出手段
と、
送出された動画像オブジェクト単位データを受け取ってハードディスクに順に記録する
記録手段と、を備え、
ハードディスクには、受け取った動画像オブジェクト単位データのうち、
コピーの禁止が初めて検出されるまでにコピーの禁止が検出されない動画像オブジェク
ト単位データは、もとの動画像オブジェクトデータとして順に記録され、
コピーの禁止が検出された後でコピーの禁止が検出されない動画像オブジェクト単位デ
ータは、新たな動画像オブジェクトデータとして順に記録されることを特徴とする動画像
処理装置。
【請求項２】
複数の動画像オブジェクト単位データが順に連なって成り、コピーの許された動画像オ
ブジェクト単位データがコピーの禁止された動画像オブジェクト単位データの後ろに連な
った部分を少なくとも有する動画像オブジェクトデータが第１の記録媒体に記録されてお
り、この第１の記録媒体から動画像オブジェクトデータを第２の記録媒体にダビングする
動画像処理装置において、
第１の記録媒体から動画像オブジェクトデータを先頭の動画像オブジェクト単位データ
より順にデジタル信号として読み出す読出手段と、
読み出された動画像オブジェクト単位データがコピーの禁止されたものであるか否かを
順に検出する検出手段と、
コピーの禁止が検出された動画像オブジェクト単位データは飛ばして、コピーの禁止が
検出されない動画像オブジェクト単位データをデジタル信号のまま順に送出する送出手段
と、
送出された動画像オブジェクト単位データを受け取って第２の記録媒体に順に記録する
記録手段と、を備えたことを特徴とする動画像処理装置。
【請求項３】
第２の記録媒体には、受け取った動画像オブジェクト単位データのうち、
コピーの禁止が初めて検出されるまでにコピーの禁止が検出されない動画像オブジェク
ト単位データは、もとの動画像オブジェクトデータとして順に記録され、
コピーの禁止が検出された後でコピーの禁止が検出されない動画像オブジェクト単位デ
ータは、新たな動画像オブジェクトデータとして順に記録されることを特徴とする請求項
２に記載の動画像処理装置。
【発明の詳細な説明】
【技術分野】
【０００１】
本発明は、ハードディスク（ＨＤ；Hard Disk）やＤＶＤ（Digital Versatile Disk）
等の記録媒体に記録された動画像のデータを他の記録媒体にダビングすることが可能な動
画像処理装置に関する。
【背景技術】
【０００２】
近年の動画像処理装置には、ＨＤドライブ（ＨＤＤ；Hard Disk Drive）とＤＶＤドラ
イブとを一体に搭載したＨＤＤ搭載型ＤＶＤレコーダといったように、種別の異なる複数
の記録媒体を取り扱うことができるものがある。この動画像処理装置は、記録媒体相互の
間で動画像のデータを転送してコピー（いわゆるダビング）することが可能である。つま
り、ある記録媒体（以下、「第１の記録媒体」と記すことがある）に記録された動画像の
データを、他の記録媒体（以下、「第２の記録媒体」と記すことがある）にダビングする
ことが可能である。また、各記録媒体に記録されている動画像のデータを読み出して再生
し、その動画像をモニタ装置に表示させることも可能である。更に、放送番組を受信して
各記録媒体に動画像のデータとして記録することも可能である。
【０００３】
ところで、第１の記録媒体に記録されている動画像のデータの中には、著作権保護の観
点から、その全部にコピーの禁止がされたものも当然あるが、その一部分のみにコピーの
禁止がされて、残りの部分にはコピーの禁止がされてなく許されたものもある。
【０００４】
ここで、動画像のデータを構成する動画像オブジェクトデータ（ＶＯＢ；Video Object
）は、１つ以上の動画像オブジェクト単位データ（ＶＯＢＵ；Video Object Unit）が順
に連なって成る。動画像オブジェクト単位データは、再生できる最小単位のデータであり
、各々、ＲＤＩ（リアルタイムデータ情報）パック、Ｖ（ビデオ）パック、Ａ（オーディ
オ）パック等の複数のパックから構成される。そのＲＤＩパック内に、当該動画像オブジ
ェクト単位データのコピーの許可／禁止に関するコピー情報、すなわち当該動画像オブジ
ェクト単位データがコピーの禁止されたものであるか否かの情報が存在する。
【０００５】
そして、第１の記録媒体に記録されている動画像オブジェクトデータについて、その一
部の動画像オブジェクト単位データがコピーの禁止されたものである場合、従来の動画像
処理装置では、以下のようにして第２の記録媒体へのダビングを行う。
【０００６】
第１の記録媒体から先頭の動画像オブジェクト単位データより順に読み出し、コピーの
禁止された動画像オブジェクト単位データを検出するまでは、読み出した動画像オブジェ
クト単位データを第２の記録媒体に順に記録していく。コピーの禁止された動画像オブジ
ェクト単位データを検出すると、ダビングを停止し、以降の動画像オブジェクト単位デー
タは第２の記録媒体に記録しない。一方それまでに第２の記録媒体へ記録された動画像オ
ブジェクト単位データについては、全て消去する処理又は再生できないようにする処理を
施したり、コピーの禁止されていないものは残して、コピーの禁止されたもののみを遡っ
て消去する処理又は再生できないようにする処理を施したりする（例えば、特許文献１参
照）。
【０００７】
こうして、動画像オブジェクトデータの一部にコピー禁止の動画像オブジェクト単位デ
ータを含む場合であって、特に、コピー禁止の動画像オブジェクト単位データが途中に配
列されたものである場合には、コピーの禁止が検出されるまでの動画像オブジェクト単位
データは、第２の記録媒体に記録されてダビングできることもある。但し、コピー禁止の
動画像オブジェクト単位データが先頭に配列されたものである場合には、一切ダビングで
きない。
【特許文献１】特開２００４−１９４１３９号公報
【発明の開示】
【発明が解決しようとする課題】
【０００８】
しかし、上記した従来の動画像処理装置では、第１の記録媒体に記録されている動画像
オブジェクトデータが、その一部にコピー禁止の動画像オブジェクト単位データを含むも
のであって、コピーの禁止されていない動画像オブジェクト単位データがコピー禁止の動
画像オブジェクト単位データの後ろに配列された部分を有するものである場合、コピー禁
止の動画像オブジェクト単位データ以降でコピーの禁止されていない動画像オブジェクト
単位データは、そもそもコピーが許されているにもかかわらず、第２の記録媒体に記録さ
れずに一切ダビングされないことになる。
【０００９】
つまり、コピーの禁止されていない動画像オブジェクト単位データと、コピーの禁止さ
れた動画像オブジェクト単位データとの配列の如何によっては、コピーの禁止されていな
い動画像オブジェクト単位データであってもダビングされないものが多く発生してしまう
場合がある。この場合、第２の記録媒体にダビングされた動画像のデータが十分とは言え
ないものとなり、使用者の期待外れとなる。
【００１０】
そこで本発明は、上記の問題に鑑みてなされたものであり、第１の記録媒体に記録され
ている動画像のデータの一部にコピー禁止の動画像オブジェクト単位データを含む場合、
その動画像のデータを使用者の期待に沿う程度十分に第２の記録媒体にダビングできる動
画像処理装置を提供することを目的とするものである。
【課題を解決するための手段】
【００１１】
上記目的を達成するため、本発明による動画像処理装置は、複数の動画像オブジェクト
単位データが順に連なって成り、コピーの許された動画像オブジェクト単位データがコピ
ーの禁止された動画像オブジェクト単位データの後ろに連なった部分を少なくとも有する
動画像オブジェクトデータがＤＶＤに記録されており、このＤＶＤから動画像オブジェク
トデータをハードディスクにダビングする動画像処理装置において、次の点を特徴とする
。ＤＶＤから動画像オブジェクトデータを先頭の動画像オブジェクト単位データより順に
デジタル信号として読み出す読出手段と、読み出された動画像オブジェクト単位データが
コピーの禁止されたものであるか否かを順に検出する検出手段と、コピーの禁止が検出さ
れた動画像オブジェクト単位データは飛ばして、コピーの禁止が検出されない動画像オブ
ジェクト単位データをデジタル信号のまま順に送出する送出手段と、送出された動画像オ
ブジェクト単位データを受け取ってハードディスクに順に記録する記録手段と、を備えて
いる。そして、ハードディスクには、受け取った動画像オブジェクト単位データのうち、
コピーの禁止が初めて検出されるまでにコピーの禁止が検出されない動画像オブジェクト
単位データは、もとの動画像オブジェクトデータとして順に記録され、コピーの禁止が検
出された後でコピーの禁止が検出されない動画像オブジェクト単位データは、新たな動画
像オブジェクトデータとして順に記録されるようになっている。
【００１２】
このような構成にすると、コピーの禁止されていない動画像オブジェクト単位データと
、コピーの禁止された動画像オブジェクト単位データとの配列の如何を問わず、コピーの
禁止されていない動画像オブジェクト単位データは、残らず全て、ＤＶＤからハードディ
スクにダビングされる。
【００１３】
また、上記目的を達成するための本発明による動画像処理装置は、複数の動画像オブジ
ェクト単位データが順に連なって成り、コピーの許された動画像オブジェクト単位データ
がコピーの禁止された動画像オブジェクト単位データの後ろに連なった部分を少なくとも
有する動画像オブジェクトデータが第１の記録媒体に記録されており、この第１の記録媒
体から動画像オブジェクトデータを第２の記録媒体にダビングする動画像処理装置におい
て、次の点を特徴とする。第１の記録媒体から動画像オブジェクトデータを先頭の動画像
オブジェクト単位データより順にデジタル信号として読み出す読出手段と、読み出された
動画像オブジェクト単位データがコピーの禁止されたものであるか否かを順に検出する検
出手段と、コピーの禁止が検出された動画像オブジェクト単位データは飛ばして、コピー
の禁止が検出されない動画像オブジェクト単位データをデジタル信号のまま順に送出する
送出手段と、送出された動画像オブジェクト単位データを受け取って第２の記録媒体に順
に記録する記録手段と、を備えている。
【００１４】
このような構成にすると、コピーの禁止されていない動画像オブジェクト単位データと
、コピーの禁止された動画像オブジェクト単位データとの配列の如何を問わず、コピーの
禁止されていない動画像オブジェクト単位データは、残らず全て、第１の記録媒体から第
２の記録媒体にダビングされる。
【００１５】
ここで、規格に準拠した実用性を踏まえると、第２の記録媒体には、受け取った動画像
オブジェクト単位データのうち、コピーの禁止が初めて検出されるまでにコピーの禁止が
検出されない動画像オブジェクト単位データは、もとの動画像オブジェクトデータとして
順に記録され、コピーの禁止が検出された後でコピーの禁止が検出されない動画像オブジ
ェクト単位データは、新たな動画像オブジェクトデータとして順に記録されることが好ま
しい。
【発明の効果】
【００１６】
本発明の動画像処理装置によれば、コピーの禁止されていない動画像オブジェクト単位
データは、残らず全て、第１の記録媒体から第２の記録媒体にダビングできるため、第２
の記録媒体にダビングされた動画像のデータは、コピーの許された最大限のもので使用者
の期待に十分沿うものとなる。
【発明を実施するための最良の形態】
【００１７】
以下に、本発明の動画像処理装置の一実施形態について図面を参照しながら詳述する。
図１は本発明の動画像処理装置の一実施形態であるＨＤＤ搭載型ＤＶＤレコーダの概略構
成を示すブロック図、図２はそのＨＤＤ搭載型ＤＶＤレコーダによるダビングの際の動画
像のデータの構成を模式的に示す図である。
【００１８】
図１に示すように、本実施形態での動画像処理装置１は、記録媒体としてハードディス
ク１３及びＤＶＤ１６を採用したＨＤＤ搭載型ＤＶＤレコーダであって、ハードディスク
１３とＤＶＤ１６との間で動画像のデータをダビングすることできる。また、ハードディ
スク１３、ＤＶＤ１６に記録されている動画像のデータを読み出して再生し、その動画像
をモニタ装置３０に表示させて視聴させることができる。更に、アナログ放送やデジタル
放送の番組を受信してハードディスク１３又はＤＶＤ１６に動画像のデータとして記録（
録画）することができる。
【００１９】
この動画像処理装置１は、大きくは、システム制御回路２と、ＯＳＤ（On Screen Disp
lay）画像生成回路４と、操作部５と、受光部６と、計時回路７と、表示部８と、チュー
ナ９と、ＭＰＥＧ（Moving Picture Experts Group）エンコーダ１０と、バッファメモリ
１１と、ＨＤドライブ１２と、ＤＶＤドライブ１５と、ＭＰＥＧデコーダ１８と、出力部
１９とを備える。システム制御回路２はメモリ３を含む。ＨＤドライブ１２は、ハードデ
ィスク１３と情報記録ヘッド１４とを含む。ＤＶＤドライブ１５は、外部から着脱可能な
ＤＶＤ１６と、情報記録ヘッド１７とを含む。チューナ９には、アンテナ２０が接続され
る。出力部１９には、テレビや表示専用モニタ等のモニタ装置３０に接続される。
【００２０】
システム制御回路２は、信号の入出力を行ないながら、動画像処理装置１全体の動作を
制御する。この動作には、受信された動画像のデータ（音声データも含む）の記録、記録
されたデータの読み出し、ハードディスク１３とＤＶＤ１６との間でのデータのダビング
等が含まれる。この制御は、例えばメモリ３に予め記憶されたプログラムに基づいて行な
われる。
【００２１】
システム制御回路２は、利用者の指示を検出すると、モニタ装置３０に所定の画面を表
示させるための信号を生成する。この画面には、予約録画の設定のための画面、記録され
たデータに基づく動画像が再生される画面、ダビングの実行のための画面等が含まれる。
【００２２】
ＯＳＤ画像生成回路４は、操作部５からの指示、又は受光部６を介して取得したリモコ
ン端末からの指示に基づいて、或いはシステム制御回路２において予め定められた条件に
基づいて、メッセージ画像を表示するための信号を生成する。このメッセージ画像とは、
チャネル表示、録画設定画面表示、ダビング実行画面表示、音量表示等の画像であって、
ＨＤドライブ１３からの動画像とは異なる画像である。ＯＳＤ画像生成回路４は、このよ
うなメッセージ画像の信号を生成すると、出力部１９に出力する。この信号が出力される
と、その信号が表すメッセージ画像がモニタ装置３０に表示される。
【００２３】
操作部５は、利用者が入力した指示を検出する。操作部５は、例えば動画像処理装置１
の前面のパネルに設けられた入力ボタンであるが、これに限られない。指示が検出される
と、その指示に対応する処理を実行させるための信号が生成される。この信号は、システ
ム制御回路２に出力される。
【００２４】
受光部６は、リモコン端末から発せられたリモコン信号を受信する。この信号は、シス
テム制御回路２に出力される。
【００２５】
計時回路７は、動画像処理装置１における時間を計測する。計時回路７は、外部から供
給される電源に基づいて作動するが、一時的な停電があっても、予め設定された時間は作
動し続けることができる。計時回路７は、時刻データをシステム制御回路２に出力する。
また、システム制御回路２からの制御信号が入力される。計時回路７の時刻は、システム
制御回路２から信号に基づいて補正される。
【００２６】
表示部８は、動画像処理装置１に関する情報を表示する。この情報には、時間、受信チ
ャネル、カウンタ、録画／再生モード、ダビングモードその他の項目が含まれる。この表
示部８は、例えば動画像処理装置１の前面に設けられたＬＣＤ（Liquid Crystal Display
）やＬＥＤ（Light Emitting Diode）であるが、これに限られない。
【００２７】
チューナ９は、アナログ放送、デジタル放送等により送信される番組の動画像データを
アンテナ２０を介して受信する。チューナ９により受信されたデータ信号は、ＭＰＥＧエ
ンコーダ１０に出力される。また、チューナ９は、システム制御回路２からの信号に基づ
いて受信チャネルを切り換えることができる。
【００２８】
ＭＰＥＧエンコーダ１０は、チューナ９から入力されたアナログ信号をＭＰＥＧ符号化
されたデジタル信号に変換して、システム制御回路２に出力する。
【００２９】
ＨＤドライブ１２は、システム制御回路２からの信号に基づいて、ＭＰＥＧ符号化され
たデータを情報記録ヘッド１４によりハードディスク１３に書き込んだり、ハードディス
ク１３に記憶されたデータを読み出したりする。
【００３０】
ＤＶＤドライブ１５は、システム制御回路２からの信号に基づいて、ＭＰＥＧ符号化さ
れたデータを情報記録ヘッド１７によりＤＶＤ１６に書き込んだり、ＤＶＤ１６に記憶さ
れたデータを読み出したりする。
【００３１】
バッファメモリ１１は、システム制御回路２からの信号に基づいて、放送番組の録画の
際は、動画像処理装置１により受信された動画像データを一時的に記録し、一時的に記録
されたデータは、順次、ＨＤドライブ１２又はＤＶＤドライブ１５へ送出される。また、
ダビングの際は、コピー元となるＨＤドライブ１２又はＤＶＤドライブ１５から動画像デ
ータを受け取って一時的に記録し、一時的に記録されたデータは、順次、コピー先となる
ＤＶＤドライブ１５又はＨＤドライブ１２へ送出される。
【００３２】
ＭＰＥＧデコーダ１８は、記録された動画像の再生の際、ＨＤドライブ１２又はＤＶＤ
ドライブ１５から読み出された、ＭＰＥＧ符号化されたデータを復号化して出力部１９に
出力する。
【００３３】
出力部１９は、ＯＳＤ画像生成回路４からの信号、及びＭＰＥＧデコーダ１８からの信
号をモニタ装置３０に出力する。これにより、モニタ装置３０には、ＯＳＤ画像生成回路
４により生成された画像メッセージと、ＨＤドライブ１２又はＤＶＤドライブ１５から読
み出された動画像とが表示される。
【００３４】
続いて、動画像処理装置１による予約録画の設定について説明する。操作部５又はリモ
コン端末から、予約録画設定の指令を受けると、システム制御回路２により、ＯＳＤ画像
生成回路４を通じてモニタ装置３０に録画設定画面が表示される。録画設定画面では、録
画対象番組のチャネル、録画開始時刻、録画終了時刻、録画日、毎週録画、毎日録画、記
録先（ハードディスク１３、ＤＶＤ１６）といった項目が表示される。
【００３５】
一定の周期で送信されるシリーズの番組を周期録画しようとする場合は、その番組のチ
ャネル、録画開始時刻、録画終了時刻、及び周期録画を指定する毎週録画、毎日録画等に
ついて、主にリモコン端末での操作によって設定する。一回限りの予約録画をしようとす
る場合は、その対象番組のチャネル、録画開始時刻、録画終了時刻、及び録画日等につい
て設定する。
【００３６】
このような予約録画に関する入力設定データは、メモリ３に保存される。ここでの周期
録画に関するデータは、周期録画が解除されるまでメモリ３に保存され続け、一回限りの
予約録画に関するデータは、その録画が完了すると消去される。
【００３７】
このようにして設定された予約録画は次のように実行される。システム制御回路２は、
メモリ３に保存されている予約録画に関するデータに基づき、所定の開始時間になると、
チューナ９からＭＰＥＧエンコーダ１０を介して所定のチャネルの動画像データを受け付
ける。その動画像データは、バッファメモリ１１に一時的に記録され、順次、所定の記録
媒体へのドライブ（ＨＤドライブ１２又はＤＶＤドライブ１５）へ送出される。送出され
たデータは、情報記録ヘッド１４又は１７によりハードディスク１３又はＤＶＤ１６に書
き込まれて記録されていく。そして所定の終了時間になると、これらの動作を終了して録
画が完了する。
【００３８】
次に、動画像処理装置１によるダビングの動作について、図２をも参照しながら説明す
る。操作部５又はリモコン端末から、ダビング実行の指令を受けると、システム制御回路
２により、ＯＳＤ画像生成回路４を通じてモニタ装置３０にダビング実行画面が表示され
る。ダビング実行画面では、操作部５又はリモコン端末での操作によって、コピー元及び
コピー先となる各記録媒体、ダビング対象の動画像等を設定し、実行開始を入力する。
【００３９】
ここでは、コピー元の記録媒体（第１の記録媒体）としてＤＶＤ１６を設定するととも
に、コピー先の記録媒体（第２の記録媒体）としてハードディスク１３を設定した場合に
ついて説明する。また、ダビング対象となる、ＤＶＤ１６に記録されている動画像のデー
タが、その一部分にコピーの禁止を含む場合について説明する。
【００４０】
例えば図２に示すように、第１の記録媒体としてのＤＶＤ１６に記録されているダビン
グ対象である動画像のデータ、すなわち動画像オブジェクトデータＶＯＢは、順に連なっ
て成る９つの動画像オブジェクト単位データＶＯＢＵ＃１〜＃９から構成される。ＶＯＢ
Ｕ＃１〜＃９のうち、５番目のＶＯＢＵ＃５と６番目のＶＯＢＵ＃６は、コピーの禁止が
されており（図２中の斜線網掛け部参照）、残りの、先頭のＶＯＢＵ＃１から４番目のＶ
ＯＢＵ＃４、及び７番目のＶＯＢＵ＃７から最後のＶＯＢＵ＃９は、コピーの禁止がされ
ていない。つまり、コピーの禁止された動画像オブジェクト単位データ（ＶＯＢＵ＃５、
＃６）の後ろにコピーの禁止されていない動画像オブジェクト単位データ（ＶＯＢＵ＃７
〜＃９）が配列され部分を有する。
【００４１】
そして、システム制御回路２がダビング開始の入力を受けると、ＤＶＤドライブ１５に
より、ＤＶＤ１６から先頭のＶＯＢＵ＃１より順にデジタル信号として読み出される。読
み出した動画像オブジェクト単位データについては、順にコピーの禁止されたものである
か否かが、各動画像オブジェクト単位データの持つコピー情報より検出される。
【００４２】
コピーの禁止が検出されない動画像オブジェクト単位データ（ＶＯＢＵ＃１〜＃４、及
びＶＯＢＵ＃７〜＃９）は、順にバッファメモリ１１に送出されて一時的に記録される。
一方、コピーの禁止が検出された動画像オブジェクト単位データ（ＶＯＢＵ＃５、＃６）
は、バッファメモリ１１に送出されない。
【００４３】
バッファメモリ１１からは、一時的に記録されたＶＯＢＵ＃１〜＃４、及びＶＯＢＵ＃
７〜＃９が順に、第２の記録媒体としてのハードディスク１３を備えるＨＤドライブ１２
に送出される。ＨＤドライブ１２では、受け取ったＶＯＢＵ＃１〜＃４、及びＶＯＢＵ＃
７〜＃９が順に、情報記録ヘッド１４によりハードディスク１３に書き込まれて記録され
る。
【００４４】
ここで、コピーの禁止が初めて検出されるまでの動画像オブジェクト単位データ（ＶＯ
ＢＵ＃１〜＃４）については、これらを１つの集合で、もとの動画像オブジェクトデータ
ＶＯＢとしてハードディスク１３に記録される。一方、コピーの禁止が検出された後の動
画像オブジェクト単位データ（ＶＯＢＵ＃７〜＃９）については、これらを１つの集合で
、新たな動画像オブジェクトデータＶＯＢとしてハードディスク１３に記録される。これ
は、例えばＤＶＤ−ＶＲ方式の規格に準拠する場合、もとの動画像オブジェクトデータＶ
ＯＢの中で動画像オブジェクト単位データの順番がスキップする（ＶＯＢＵ＃４の次にＶ
ＯＢＵ＃７が配列される）のは許容されないからである。
【００４５】
このようにして、第１の記録媒体としてのＤＶＤ１６から第２の記録媒体としてのハー
ドディスク１３へのダビングが完了する。
【００４６】
なお、ＤＶＤ１６に記録されているダビング対象である動画像のデータについて、その
先頭にコピー禁止の動画像オブジェクト単位データが配列されたものである場合は、それ
以降のコピーの禁止されていない動画像オブジェクト単位データが、順に、新たな動画像
オブジェクトデータとしてハードディスク１３に記録される。
【００４７】
このような動画像処理装置１によるダビングでは、第１の記録媒体としてのＤＶＤ１６
に記録されている動画像のデータが、その一部にコピー禁止の動画像オブジェクト単位デ
ータを含むものであっても、コピーの禁止されていない動画像オブジェクト単位データと
、コピー禁止の動画像オブジェクト単位データとの配列の如何を問わず、コピーの禁止さ
れていない動画像オブジェクト単位データは、残らず全て、ＤＶＤ１６から第２の記録媒
体としてのハードディスク１３にダビングできる。従って、第２の記録媒体にダビングさ
れた動画像のデータは、コピーの許された最大限のもので使用者の期待に十分沿うものと
なる。
【００４８】
その他本発明は上記の実施形態に限定されず、本発明の趣旨を逸脱しない範囲で、種々
の変更が可能である。上記の実施形態では、コピー元である第１の記録媒体としてＤＶＤ
を選定するとともに、コピー先である第２の記録媒体としてハードディスクを選定したが
、これとは逆に、第１の記録媒体としてハードディスクが選定されるとともに、第２の記
録媒体としてＤＶＤが選定されても構わない。この場合のハードディスクに記録されてい
る、一部にコピー禁止を含む動画像データとしては、１回限りコピーが許可された動画像
データがＤＶＤからのダビングによって記録された場合等が想定できる。
【００４９】
また、第１、第２の記録媒体としては、データの消去・書き込みを自由に行うことがで
き、電源を切っても内容が消えない、例えばメモリカードを適用することも可能である。
【産業上の利用可能性】
【００５０】
本発明は、ある記録媒体に記録された動画像のデータを他の記録媒体にダビングするこ
とが可能な動画像処理装置に有用である。
【図面の簡単な説明】
【００５１】
【図１】本発明の動画像処理装置の一実施形態であるＨＤＤ搭載型ＤＶＤレコーダの概略構成を示すブロック図である。
【図２】図１の動画像処理装置によるダビングの際の動画像のデータの構成を模式的に示す図である。
【符号の説明】
【００５２】
１    動画像処理装置
２    システム制御回路
３    メモリ
４    ＯＳＤ画像生成回路
５    操作部
６    受光部
７    計時回路
８    表示部
１０    ＭＰＥＧエンコーダ
１１    バッファメモリ
１２    ハードディスクドライブ
１３    ハードディスク
１４    情報記録ヘッド
１５    ＤＶＤドライブ
１６    ＤＶＤ
１７    情報記録ヘッド
１８    ＭＰＥＧデコーダ
１９    出力部
３０    モニタ装置
【図１】
2006339719.tif 000003
【図２】
2006339719.tif 000004